(57)【特許請求の範囲】
【請求項１】
同軸ケーブルと、該同軸ケーブルの芯線に接続される内導体端子と、該内導体端子の一部を露出させた状態でこの外側に設けられる絶縁体と、を少なくとも含む絶縁体アッセンブリ、及び、前記絶縁体を保持するとともに前記同軸ケーブルの編組に接続される一対の編組接続用加締め片を有する略筒状の外導体端子を備え、
該外導体端子は、加締め前となる前記編組接続用加締め片の開放側で且つ該編組接続用加締め片の位置から前方に、前記絶縁体アッセンブリの前記絶縁体を前記開放側からセットするための上側開口部を有するとともに、前記絶縁体アッセンブリの前記内導体端子の前記一部を前記開放側からセットするための上側スリットを有し、さらに、前記上側開口部の開口縁に、前記絶縁体を保持する一対の絶縁体保持用加締め片を有する
ことを特徴とする同軸コネクタ。
【請求項２】
請求項１に記載の同軸コネクタにおいて、
前記絶縁体は、前記一対の絶縁体保持用加締め片により保持される被保持部の前後に環状のフランジ部を有し、
前記一対の絶縁体保持用加締め片は、この先端間隔が前記被保持部の直径に合い且つ側部が前記前後のフランジ部に対して当接可能となるように内側に傾く形状に形成される
ことを特徴とする同軸コネクタ。
【請求項３】
同軸ケーブル、内導体端子、及び絶縁体を少なくとも組み付けて絶縁体アッセンブリを形成する第一工程と、
略筒状の外導体端子の上側開口部及び上側スリットを介して前記絶縁体アッセンブリを端子軸直交方向からセットする第二工程と、
前記上側開口部の開口縁に形成される一対の絶縁体保持用加締め片を加締めることにより前記絶縁体アッセンブリの前記絶縁体を保持するとともに、前記上側開口部の後方に位置する一対の編組接続用加締め片を加締めることにより前記絶縁体アッセンブリの前記同軸ケーブルの編組との接続を行う第三工程と、
を含む
ことを特徴とする同軸コネクタの組み付け方法。
【発明の詳細な説明】
【技術分野】
【０００１】
本発明は、同軸ケーブルの端末に設けられる同軸コネクタと、この同軸コネクタの組み付けに係る方法とに関する。
【背景技術】
【０００２】
アンテナ線などの高周波信号伝送に用いられる同軸ケーブルは、一般的に、中心導体としての芯線と、誘電体としての絶縁体と、外部導体としての金属テープ導体及び編組と、外皮としての絶縁シースとを中心から順に備えて構成されている。このような構成の同軸ケーブルには、相手側の機器や同軸ケーブル等に接続するために、端末に同軸コネクタが設けられている（例えば下記特許文献１参照）。
【０００３】
同軸コネクタは、内導体端子及びこの内導体端子を収容する絶縁体を有するとともに、同軸ケーブルの編組を相手側同軸コネクタにアース接続して電磁波や静電気などの電気的ノイズを遮断するための外導体端子を有している。下記特許文献１に開示された外導体端子は、円筒形状の外導体端子本体と、編組接続用の加締め片を有し外導体端子本体の開口部分に嵌合する遮蔽体とを備えて構成されている。
【０００４】
下記特許文献１に開示された同軸コネクタの組み付けは、予め絶縁体を外導体端子本体に収容係止しておき、この状態で同軸ケーブルの芯線に接続された内導体端子を外導体端子本体に差し込んで絶縁体に収容係止させ、そして、遮蔽体を外導体端子本体に嵌合させ、最後に遮蔽体の加締め片を同軸ケーブルの編組に加締めて接続することにより完了するようになっている。尚、外導体端子本体に対する絶縁体の差し込み作業、及び絶縁体に対する内導体端子の差し込み作業は、外導体端子本体の軸方向に沿って行われるようになっている。
【特許文献１】特開２００３−２９７４９３号公報
【発明の開示】
【発明が解決しようとする課題】
【０００５】
ところで、上記従来技術にあっては、組み付けに係る作業工程が多く、これによって作業性に影響を来してしまうという問題点を有している。また、上記従来技術にあっては、外導体端子本体に対する絶縁体の差し込み作業、及び、外導体端子本体に取り付けた絶縁体に対する内導体端子の差し込み作業が、それぞれ外導体端子本体の軸方向に沿って行われることから、特に小型の部品となる場合には見難く、差し込み量も分かり難いことから、作業性に影響を来してしまうという問題点を有している。
【０００６】
さらに、上記従来技術にあっては、外導体端子本体と絶縁体との係止構造、外導体端子本体と遮蔽体との嵌合構造、同軸ケーブルの編組と遮蔽体の加締め片との加締め構造、というような異なる固定に係る構造を複数必要とすることから、設備や作業性に影響を来してしまうという問題点を有している。
【０００７】
本発明は、上記した事情に鑑みてなされたもので、作業性の向上を図ることが可能な、また、組み付けに係る設備を簡素化することが可能な同軸コネクタ及び同軸コネクタの組み付け方法を提供することを課題とする。
【課題を解決するための手段】
【０００８】
上記課題を解決するためになされた請求項１記載の本発明の同軸コネクタは、同軸ケーブルと、該同軸ケーブルの芯線に接続される内導体端子と、該内導体端子の一部を露出させた状態でこの外側に設けられる絶縁体と、を少なくとも含む絶縁体アッセンブリ、及び、前記絶縁体を保持するとともに前記同軸ケーブルの編組に接続される一対の編組接続用加締め片を有する略筒状の外導体端子を備え、該外導体端子は、加締め前となる前記編組接続用加締め片の開放側で且つ該編組接続用加締め片の位置から前方に、前記絶縁体アッセンブリの前記絶縁体を前記開放側からセットするための上側開口部を有するとともに、前記絶縁体アッセンブリの前記内導体端子の前記一部を前記開放側からセットするための上側スリットを有し、さらに、前記上側開口部の開口縁に、前記絶縁体を保持する一対の絶縁体保持用加締め片を有することを特徴としている。
【０００９】
また、請求項２記載の本発明の同軸コネクタは、請求項１に記載の同軸コネクタにおいて、前記絶縁体は、前記一対の絶縁体保持用加締め片により保持される被保持部の前後に環状のフランジ部を有し、前記一対の絶縁体保持用加締め片は、この先端間隔が前記被保持部の直径に合い且つ側部が前記前後のフランジ部に対して当接可能となるように内側に傾く形状に形成されることを特徴としている。
【００１０】
一方、上記課題を解決するためになされた請求項３記載の本発明の同軸コネクタの組み付け方法は、同軸ケーブル、内導体端子、及び絶縁体を少なくとも組み付けて絶縁体アッセンブリを形成する第一工程と、略筒状の外導体端子の上側開口部及び上側スリットを介して前記絶縁体アッセンブリを端子軸直交方向からセットする第二工程と、前記上側開口部の開口縁に形成される一対の絶縁体保持用加締め片を加締めることにより前記絶縁体アッセンブリの前記絶縁体を保持するとともに、前記上側開口部の後方に位置する一対の編組接続用加締め片を加締めることにより前記絶縁体アッセンブリの前記同軸ケーブルの編組との接続を行う第三工程と、を含むことを特徴としている。
【００１１】
このような特徴を有する本発明によれば、絶縁体アッセンブリを形成し、この絶縁体アッセンブリを上側開口部及び上側スリットを介して外導体端子の上側からセットし、そして、少なくとも一対の絶縁体保持用加締め片と一対の編組接続用加締め片とを加締めるだけで同軸コネクタの組み付けが完了する。絶縁体アッセンブリの外導体端子に対するセットは、外導体端子の上から下ろすだけの単純且つ見易い作業となる。同軸コネクタの組み付けは、加締め設備を備えるのみで可能になる。
【００１２】
本発明によれば、一対の絶縁体保持用加締め片を内側に傾くように形成することにより、絶縁体アッセンブリの外導体端子に対するセットがスムーズに行えるようになる。また、セット後の作業もスムーズに行えるようになる。すなわち、一対の絶縁体保持用加締め片を内側に傾けてこれらの間隔を調整することにより、所定位置でのみ絶縁体アッセンブリのセットが可能になるからである。また、セット後は傾けた一対の絶縁体保持用加締め片とフランジ部との当接により絶縁体アッセンブリの前後方向の移動が規制され、加締めを施すまでの間、絶縁体アッセンブリの位置が安定するからである。
【発明の効果】
【００１３】
請求項１に記載された本発明によれば、編組接続用加締め片の開放側で且つこの編組接続用加締め片の位置から前方に上側開口部及び上側スリットを有し、さらに、上側開口部の開口縁に一対の絶縁体保持用加締め片を有する外導体端子を備えることにより、少なくとも同軸ケーブル、内導体端子、及び絶縁体からなる絶縁体アッセンブリを作業性良く組み付けすることができる。従って、従来よりも作業性の良い同軸コネクタを提供することができるという効果を奏する。また、本発明によれば、加締めのみによって絶縁体アッセンブリを外導体端子に固定及び接続することができる。従って、組み付けに係る設備を従来よりも簡素化することができるという効果を奏する。
【００１４】
請求項２に記載された本発明によれば、絶縁体アッセンブリのセット位置を明確にすることができるとともに、セット後から加締めを施すまでの間の絶縁体アッセンブリの位置を安定させることができる。従って、作業性の更なる向上を図ることができるという効果を奏する。
【００１５】
請求項３に記載された本発明によれば、従来よりも作業性の向上を図り、また、設備の簡素化も図ることが可能な組み付け方法を提供することができるという効果を奏する。
【発明を実施するための最良の形態】
【００１６】
以下、図面を参照しながら説明する。図１は本発明の同軸コネクタ及び同軸コネクタの組み付け方法の一実施の形態を示す分解斜視図である。また、図２は一対の絶縁体保持用加締め片を加締めて絶縁体アッセンブリの絶縁体を保持した状態を示す斜視図である。
【００１７】
図１において、同軸コネクタは、同軸ケーブル１の端末に設けられるコネクタであって、内導体端子２と絶縁体３と外導体端子４とを備えて構成されている。本発明の同軸コネクタは、同軸ケーブル１と内導体端子２と絶縁体３とによりなる絶縁体アッセンブリ５を外導体端子４に接続固定する組み付けによって形成されている。先ず各構成部材について説明する。
【００１８】
図１及び図２において、絶縁体アッセンブリ５は、同軸ケーブル１の端末を含んで構成されている。同軸ケーブル１は、公知のものであって、中心導体としての芯線６と、誘電体としての絶縁体７と、外部導体としての金属テープ導体８及び編組９と、外皮としての絶縁シース１０とを中心から順に備えて構成されている。同軸ケーブル１は、芯線６が所定の長さで露出するように加工されている。編組９は、絶縁シース１０の上に折り返されて外導体端子４との接続が可能な状態に加工されている。
【００１９】
内導体端子２は、導電性を有する金属製の部材であって、電気接触部１１と、この電気接触部１１に連続する芯線接続部１２とを有している。芯線接続部１２は、一対の加締め片となる形状に形成されており、同軸ケーブル１の芯線６を加締めによって接続固定することができるようになっている。内導体端子２は、この中間に例えばコンデンサなどの電子部品を実装していてもよいものとする。
【００２０】
絶縁体３は、所謂誘電体であって、絶縁性を有する合成樹脂材料を用いて成形されている（例えばフープ成形によって内導体端子２の中間に一体化する。又は、内導体端子２を挿入可能とする略円筒形状の部品として成形する。絶縁体３は、インナーハウジングと呼ばれることもある）。絶縁体３は、内導体端子２の電気接触部１１及び芯線接続部１２を図示の如く露出させるように形成されている。
【００２１】
絶縁体３の外周面には、外導体端子４との固定に係る被保持部１３が形成されている。また、この被保持部１３の前後には、被保持部１３よりも大きな直径となる環状のフランジ部１４、１５が形成されている。フランジ部１４、１５には、被保持部１３との段差によって当接面１６、１７が形成されている。尚、被保持部１３及び当接面１６、１７に関しては後述する。
【００２２】
外導体端子４は、導電性を有する金属板をプレス加工することにより略円筒状となる形状に形成されている。ここで引用符号１８を外導体端子４の前部、引用符号１９を中間部、引用符号２０を後部とすると、前部１８及びこの近傍は、図示しない相手コネクタとの接続部分として形成されている。前部１８は、円筒状（環状）に形成されている。
【００２３】
前部１８の上側には（通常、プレス加工により合わせ目が生じる部分には）、上側スリット２１が形成されている。上側スリット２１は、内導体端子２の電気接触部１１を通過させるためのスリットとして形成されている。上側スリット２１は、電気接触部１１の通過に必要十分な幅で形成されている（高周波性能を低下させるような幅のスリットではないものとする）。
【００２４】
外導体端子４の後部２０には、一対の編組接続用加締め片２２と、一対のシース固定用加締め片２３とが形成されている。一対の編組接続用加締め片２２及びシース固定用加締め片２３は、前後方向に並ぶように配置されている。また、一対の編組接続用加締め片２２及びシース固定用加締め片２３は、各先端が次第に外側に開くような形状に形成されている。
【００２５】
一対の編組接続用加締め片２２は、同軸ケーブル１の編組９を加締めによって接続固定することができるように形成されている。また、一対のシース固定用加締め片２３は、絶縁シース１０を加締めによって固定することができるように形成されている。一対の編組接続用加締め片２２は、一対のシース固定用加締め片２３よりも長く突出するように形成されている。一対の編組接続用加締め片２２及びシース固定用加締め片２３は、これらの加締め前において、引用符号２４で示す部分が開放状態となるように形成されている。
【００２６】
外導体端子４の中間部１９には、前部１８に連続するとともに、後部２０の一対の編組接続用加締め片２２に連続し、且つ半円筒状となる形状の下側基部２５が形成されている。また、中間部１９には、この中間部１９の上側を開口する上側開口部２６と、インピーダンス整合を図る部分としての筒部２７とが形成されている。筒部２７は、上側開口部２６の後方に配置形成されている。
【００２７】
上側開口部２６の開口縁には、絶縁体アッセンブリ５の絶縁体７を加締めにより保持するための一対の絶縁体保持用加締め片２８が形成されている。一対の絶縁体保持用加締め片２８は、上側開口部２６の前後方向中間位置に配置形成されている。一対の絶縁体保持用加締め片２８は、この先端間隔Ａが絶縁体アッセンブリ５の被保持部１３の直径Ｂに合い（例えばＡ≒Ｂ）且つ側部２９が絶縁体アッセンブリ５のフランジ部１４、１５における当接面１６、１７に対して当接可能となるように内側に傾く形状に形成されている。
【００２８】
筒部２７は、下側基部２５の形状と合わせて円筒状（環状）となるように形成されている。筒部２７の上側には（通常、プレス加工により合わせ目が生じる部分には）、上側スリット３０が形成されている。上側スリット３０は、内導体端子２の芯線接続部１２を通過させるためのスリットとして形成されている。上側スリット３０は、芯線接続部１２の通過に必要十分な幅で形成されている（高周波性能を低下させるような幅のスリットではないものとする）。
【００２９】
次に、上記構成及び構造に基づきながら同軸コネクタの組み付け方法について一例を説明する。同軸コネクタの組み付け方法は、絶縁体アッセンブリ５を形成する第一工程と、外導体端子４の上側開口部２６及び上側スリット２１、３０を介して絶縁体アッセンブリ５を端子軸直交方向から外導体端子４にセットする第二工程と、一対の絶縁体保持用加締め片２８を加締めることにより絶縁体アッセンブリ５の絶縁体３を保持するとともに、一対の編組接続用加締め片２２及び一対のシース固定用加締め片２３をそれぞれ加締めることにより絶縁体アッセンブリ５の同軸ケーブル１との接続固定を行う第三工程とを含んでいる。以下、組み付け方法についてもう少し詳しく説明する。
【００３０】
内導体端子２の一部を露出させるように絶縁体３を設けるとともに、内導体端子２の芯線接続部１２と同軸ケーブル１の芯線６とを加締めて接続固定をすると、第一工程となる絶縁体アッセンブリ５の組み付けが完了する。そして、このような絶縁体アッセンブリ５を上側開口部２６及び上側スリット２１、３０を介して外導体端子４の上側から単に下ろして外導体端子４にセットすると、第二工程が完了する。これにより、絶縁体アッセンブリ５の外導体端子４に対するセット状態が形成される。この時、絶縁体アッセンブリ４の被保持部１３の直径Ｂと、外導体端子４の一対の絶縁体保持用加締め片２８の先端間隔Ａとがほぼ同じ寸法に調整されていることから、所定位置でのみ絶縁体アッセンブリ５のセットが可能になる。
【００３１】
尚、特に図示しないが、上記セット状態においては、一対の絶縁体保持用加締め片２８とフランジ部１４、１５とによって絶縁体アッセンブリ５の前後方向の移動が規制され、これによりセット位置が安定する。具体的には、絶縁体保持用加締め片２８の側部２９と被保持部１３の当接面１６、１７との当接によって前後方向の移動が規制されることから、絶縁体アッセンブリ５のセット位置が安定する。
【００３２】
絶縁体アッセンブリ５を外導体端子４にセットした後、一対の絶縁体保持用加締め片２８を加締めると、絶縁体アッセンブリ５の絶縁体３における被保持部１３が保持される（図２参照）。また、一対のシース固定用加締め片２３を加締めると、絶縁体アッセンブリ５の同軸ケーブル１における絶縁シース１０が保持される。絶縁体アッセンブリ５は、これら二箇所で保持されることにより外導体端子４との固定が完了する。また、一対の編組接続用加締め片２２を加締めると、絶縁体アッセンブリ５の同軸ケーブル１における編組９が編組接続用加締め片２２に接触し、外導体端子４に対する接続が完了する。以上により、組み付けが完了し、同軸コネクタが形成される。
【００３３】
本発明の同軸コネクタによれば、絶縁体アッセンブリ５の外導体端子４に対するセットが上から下ろすだけの単純且つ見易い作業となり、また、セット後は、加締めるだけの作業で組み付けが完了することから、従来よりも作業性の向上を図ることができるという効果を奏する。また、組み付けに係る設備を従来よりも簡素化することができるという効果を奏する。
【００３４】
本発明は本発明の主旨を変えない範囲で種々変更実施可能なことは勿論である。
【図面の簡単な説明】
【００３５】
【図１】本発明の同軸コネクタ及び同軸コネクタの組み付け方法の一実施の形態を示す分解斜視図である。
【図２】一対の絶縁体保持用加締め片を加締めて絶縁体アッセンブリの絶縁体を保持した状態を示す斜視図である。
【符号の説明】
【００３６】
１  同軸ケーブル
２  内導体端子
３  絶縁体
４  外導体端子
５  絶縁体アッセンブリ
６  芯線
７  絶縁体
８  金属テープ導体
９  編組
１０  絶縁シース
１１  電気接触部
１２  芯線接続部
１３  被保持部
１４、１５  フランジ部
１６、１７  当接面
２１、３０  上側スリット
２２  編組接続用加締め片
２３  シース固定用加締め片
２５  下側基部
２６  上側開口部
２７  筒部
２８  絶縁体保持用加締め片
２９  側部
【図１】
0005058869.tif 000002
【図２】
0005058869.tif 000003